(57)【要約】【課題】太陽光パネルの冷却効率の高い、太陽光パネルの架台等を提供する。【解決手段】太陽光パネルの架台は、架台本体１０の上面側に固定されて、その上端部で太陽光パネル５を支持するパネル支持部２０とを備え、架台本体１０は、太陽光パネル５の設置領域の表面にその裏面が面する底板部１１と、底板部１１の上面側に立設されて、その内側にコンクリート部１６が形成される上方開口の型枠部１３とを備え、パネル支持部２０は、少なくとも架台本体１０の四隅部に位置して、型枠部１３の内側に起立姿勢で固定される複数本の支持脚部と、架台本体の両側に沿って配置されて、対向する支持脚部２１の上端を連結すると共に、太陽光パネル５が固定される支持梁部とを備えており、パネル支持部２０で支持される太陽光パネル５と架台本体１０との間に、風が通過するための通風空間４を形成している。【選択図】図１
2017229109.tif 000002
【特許請求の範囲】
【請求項１】
太陽光パネルを設置するための架台であって、
太陽光パネルの施工領域に配置されて、コンクリート部を上面に充填するための架台本体と、
前記架台本体の上面側に固定されて、その上端部で太陽光パネルを支持するパネル支持部と
を備え、
前記架台本体は、
太陽光パネルの設置領域の表面にその裏面が面する底板部と、
前記底板部の上面側に立設されて、その内側にコンクリート部が形成される上方開口の型枠部とを備え、
前記パネル支持部は、
少なくとも前記架台本体の四隅部に位置して、前記型枠部の内側に起立姿勢で固定される複数本の支持脚部と、
前記架台本体の両側に沿って配置されて、対向する前記支持脚部の上端を連結すると共に、太陽光パネルが固定される支持梁部とを備えており、
前記パネル支持部で支持される太陽光パネルと前記架台本体との間に、風が通過するための通風空間が形成されるようにしてなることを特徴とする太陽光パネルの架台。
【請求項２】
請求項１に記載の太陽光パネルの架台であって、
前記架台本体は、前記底板部の外周に沿って立設された平面視略矩形状の周壁部を備えており、前記周壁部の内側の領域を複数の区画に分割する複数列の仕切り部を設け、
前記周壁部の両側に位置する第一配置領域及び第二配置領域を前記型枠部としており、
前記第一配置領域及び前記第二配置領域は、前記架台本体の四隅に設けられた各支持脚部を２本ずつその領域内に有することを特徴とする太陽光パネルの架台。
【請求項３】
請求項１又は２に記載の太陽光パネルの架台であって、
前記架台本体は前記周壁部より外側に位置する前記底板部の側縁部に、隣合って配置される他の該架台本体の該底板部と、互いに連結可能な架台連結部を備えることを特徴とする太陽光パネルの架台。
【請求項４】
請求項１ないし３の何れか一項に記載の太陽光パネルの架台であって、
前記支持脚部は、矩形状の太陽光パネルの長手方向の両端に高低差を生じさせるように傾斜した姿勢で固定してなることを特徴とする太陽光パネルの架台。
【請求項５】
請求項１ないし４の何れか一項に記載の太陽光パネルの架台であって、
前記支持脚部は、前記型枠部内に充填されるコンクリート部に埋設される位置に、その下部を固定されてなることを特徴とする太陽光パネルの架台。
【請求項６】
上面に受光面を設け、長方形状に形成された平板状の太陽光パネルと、
前記太陽光パネルの下方に配置されて、前記太陽光パネルを所定の姿勢で支持する架台と、
前記架台の上面に形成されるコンクリート部と、
を備える太陽光発電装置であって、
前記架台は、
当該太陽光発電装置の施工領域に配置される架台本体と、
前記架台本体の上面側に固定されて、その上端部で太陽光パネルを支持するパネル支持部とを備えており、
前記架台本体は、
太陽光パネルの設置領域の表面にその裏面が面する底板部と、
前記底板部の上面側に立設されて、その内側に前記コンクリート部が形成される上方開口の型枠部とを備え、
前記パネル支持部は、
少なくとも前記架台本体の四隅部に位置して、前記型枠部の内側に起立姿勢で固定される複数本の支持脚部と、
前記架台本体の両側に沿って配置されて、対向する前記支持脚部の上端を連結すると共に、太陽光パネルが固定される支持梁部とを備え、
前記型枠部に形成される前記コンクリート部に前記支持脚部の下端部を埋設させて該支持脚部を起立姿勢で支持すると共に、
前記パネル支持部で支持される太陽光パネルと前記架台本体との間に、風が通過するための通風空間を形成してなることを特徴とする太陽光発電装置。
【請求項７】
上面に受光面を設け、長方形状に形成された平板状の太陽光パネルと、前記太陽光パネルの下方に配置されて、前記太陽光パネルを所定の姿勢で支持する架台と、前記架台の上面に形成されるコンクリート部とを備え、
前記架台は太陽光パネルの設置領域の表面にその裏面が面する底板部と、前記底板部の上面に立設されて、その内側に前記コンクリート部が形成される上方開口の型枠部とを含む架台本体と、太陽光パネルを支持するパネル支持部とを備える太陽光発電装置の施工方法であって、
前記架台本体を施工領域に配置する敷設工程と、
前記架台本体の上面であって、前記型枠部の内側に、起立姿勢の支持脚部を含む前記パネル支持部を取り付ける取付工程と、
支持脚部が固定された前記型枠部の内側に未硬化状態のコンクリートを充填し、前記支持脚部の下端部が埋設されたコンクリート部を形成する基礎形成工程と、
前記パネル支持部の上端部に太陽光パネルを固定するパネル固定工程と
を含むことを特徴とする太陽光発電装置の施工方法。
【発明の詳細な説明】
【技術分野】
【０００１】
本発明は、太陽光パネルを施工領域内に固定するための太陽光パネルの架台とこの架台を使用する太陽光発電装置及び太陽光発電装置の施工方法に関する。
【背景技術】
【０００２】
近年、電力需要の要求から空き地や屋上等に多くの太陽光発電装置が設置されている。従来、太陽光パネルを地面上に設置する際は、地面にコンクリートによる基礎を打設し、この基礎に金属製のフレーム等からなる基部を建造し、この基部上に太陽光パネルを設置していた。このような太陽光パネルの設置方法は、確実に太陽光パネルを固定できる基部を建造できる一方で、施工領域の地面を掘り下げてコンクリートを基礎から建造し、あるいは、基礎を形成するための型枠を設ける必要があるため、施工に必要な工数が多くなると共に、製造コストが高くなるといった問題があった。
【０００３】
この問題を解消するために、特許文献１や２に記載される太陽光パネルの架台が知られている。この架台は、太陽光パネルの施工領域となる地面上や屋上等に配置し、上部に太陽光パネルを取り付けることで、簡単に太陽光発電装置を設置できる特徴がある。この架台は、基礎に固定する代わりに、架台の内部にコンクリートブロック等の重り部材を配置して、この重り部材で架台を押さえ、太陽光パネルが強風に煽られる等して動かないように位置を固定している。
【先行技術文献】
【特許文献】
【０００４】
【特許文献１】特開２０１３−２２１２８８号公報
【特許文献２】米国特許出願公開２０１２−００３１４６９号明細書
【発明の概要】
【発明が解決しようとする課題】
【０００５】
しかしながら、特許文献１や２に記載の架台は、簡単に太陽光発電装置を設置できる一方で、太陽光パネルの裏面側が架台の壁面により閉塞されてしまい、放熱性が低下するという新たな課題が生じた。従来の太陽光パネルを支持する基部は、フレームの間を風が吹き抜けることで、空気により太陽光パネルを冷却し、太陽光の照射による太陽光パネルの温度上昇を抑えていた。しかしながら、特許文献１や２の架台は、架台の壁面により太陽光パネルの裏面を通過する風が遮られてしまうため、太陽光パネルの冷却効率が低下してしまう虞がある。太陽光パネルの冷却効率が低下すると、太陽光パネルの過熱により、発電効率が低下してしまう。さらに、過熱状態が長期間継続すると、太陽光パネルの寿命の低下に繋がる虞もある。
【０００６】
本発明は以上の問題に鑑みてなされたものである。本発明の目的の一は、太陽光パネルの冷却効率の高い、太陽光パネルの架台を提供することである。
【課題を解決するための手段及び発明の効果】
【０００７】
以上の架台を解決するために、本発明の第１の太陽光パネルの架台は、太陽光パネルの施工領域に配置されて、コンクリート部を上面に充填するための架台本体と、前記架台本体の上面側に固定されて、その上端部で太陽光パネルを支持するパネル支持部とを備え、前記架台本体は、太陽光パネルの設置領域の表面にその裏面が面する底板部と、前記底板部の上面側に立設されて、その内側にコンクリート部が形成される上方開口の型枠部とを備え、前記パネル支持部は、少なくとも前記架台本体の四隅部に位置して、前記型枠部の内側に起立姿勢で固定される複数本の支持脚部と、前記架台本体の両側に沿って配置されて、対向する前記支持脚部の上端を連結すると共に、太陽光パネルが固定される支持梁部とを備えており、前記パネル支持部で支持される太陽光パネルと前記架台本体との間に、風が通過するための通風空間が形成されるようにしてなることを特徴とする。
【０００８】
以上の太陽光パネルの架台は、架台本体を施工領域に設置し、型枠部にパネル支持部の支持脚部の下端部を固定し、型枠部の内側にコンクリート部を形成することで、容易に太陽光パネルを支持できる特徴がある。それは、架台本体の型枠部が未硬化状態の生コンクリートを硬化させ、コンクリート部を形成するための型枠として機能することで、従来の太陽光パネルの基礎のように、地面を掘り下げてコンクリートを打設したり、基礎を構築するための型枠を作るといった必要がなく、太陽光パネルの設置を簡単にしているからである。さらに、この構造は、建造を容易にすると同時に、パネル支持部により太陽光パネルと架台本体との間を離間させ、風が通過するための通風空間を形成しており、この通風空間を通過する風により太陽光パネルを冷却する構造としている。これにより、太陽光パネルが太陽光に照射されて過熱し、発電効率が低下したり、長期間の過熱により寿命が低下する虞を低減している。すなわち、以上の太陽光パネルの架台は、容易に太陽光パネルを施工できるようにしながらも、その上部に支持される太陽光パネルの温度上昇を防ぐことができる。
【０００９】
また、本発明の第２の太陽光パネルの架台は、前記架台本体は、前記底板部の外周に沿って立設された平面視略矩形状の周壁部を備えており、前記周壁部の内側の領域を複数の区画に分割する複数列の仕切り部を設け、前記周壁部の両側に位置する第一配置領域及び第二配置領域を前記型枠部としており、前記第一配置領域及び前記第二配置領域は、前記架台本体の四隅に設けられた各支持脚部を２本ずつその領域内に有することを特徴とする。
【００１０】
以上の太陽光パネルの架台は、支持脚部が位置する四隅を含む周壁部の両側部にコンクリート部を配置することができ、確実にコンクリート部内に支持脚部を埋設できるような構造とすると共に、必要最低限の領域にのみコンクリート部を配置することで、コンクリート部の必要量を減らすことができる。また、架台本体の両端側にコンクリート部を配置することで、コンクリート部により確実に架台本体を押さえることができる。
【００１１】
さらに、本発明の第３の太陽光パネルの架台は、前記架台本体は前記周壁部より外側に位置する前記底板部の側縁部に、隣合って配置される他の該架台本体の該底板部と、互いに連結可能な架台連結部を備えることを特徴とする。
【００１２】
以上の太陽光パネルの架台は、互いに隣接する底板部の側縁部を連結することができる。架台同士を連結することで、強風に晒された際や地震等により振動が加えられた際に、連結された太陽光パネルの架台同士が互いに支えあい、太陽光パネルが不意に移動しないようにできる。また、隣接する架台同士を定位置で連結できるので、複数の太陽光パネルを外観よく配列しながら設置できる。
【００１３】
さらにまた、本発明の第４の太陽光パネルの架台は、前記支持脚部は、矩形状の太陽光パネルの長手方向の両端に高低差を生じさせるように傾斜した姿勢で固定してなることを特徴とする。
【００１４】
以上の太陽光パネルの架台は、複数の太陽光パネルを行列状に並べ、かつ隣接する太陽光パネルの長辺同士の間隔が狭くなるようにし、短辺同士の間隔が広くなるように設置することで、短辺同士の間に作業員の通過用のスペースを確保しながらも、施工領域における太陽光パネルの設置数を増加させることができる。太陽光パネルの長手方向の両端に高低差を生じさせ、かつ長辺同士の間隔を狭くすることで、太陽光パネルが形成するパネル行状体の幅を広くし、パネル行状体の数を少なくし、非発電領域であるパネル行状体の間の領域、すなわち太陽光パネルの短辺同士の間の領域の総数を減らすことができるからである。
【００１５】
さらにまた、本発明の第５の太陽光パネルの架台は、前記支持脚部は、前記型枠部内に充填されるコンクリート部に埋設される位置に、その下部を固定されてなることを特徴とする
【００１６】
以上の太陽光パネルの架台は、支持脚部の下部をコンクリート部に埋設することで、支持脚部を安定的に起立姿勢で保つと共に、支持脚部の埋設された部分の強度を高めることができる。
【００１７】
さらにまた、本発明の第６の太陽光発電装置は、上面に受光面を設け、長方形状に形成された平板状の太陽光パネルと、前記太陽光パネルの下方に配置されて、前記太陽光パネルを所定の姿勢で支持する架台と、前記架台の上面に形成されるコンクリート部と、を備える太陽光発電装置であって、前記架台は、当該太陽光発電装置の施工領域に配置される架台本体と、前記架台本体の上面側に固定されて、その上端部で太陽光パネルを支持するパネル支持部とを備えており、前記架台本体は、太陽光パネルの設置領域の表面にその裏面が面する底板部と、前記底板部の上面側に立設されて、その内側に前記コンクリート部が形成される上方開口の型枠部とを備え、前記パネル支持部は、少なくとも前記架台本体の四隅部に位置して、前記型枠部の内側に起立姿勢で固定される複数本の支持脚部と、前記架台本体の両側に沿って配置されて、対向する前記支持脚部の上端を連結すると共に、太陽光パネルが固定される支持梁部とを備え、前記型枠部に形成される前記コンクリート部に前記支持脚部の下端部を埋設させて該支持脚部を起立姿勢で支持すると共に、前記パネル支持部で支持される太陽光パネルと前記架台本体との間に、風が通過するための通風空間を形成してなることを特徴とする。
【００１８】
以上の太陽光発電装置は、架台本体を施工領域に設置し、型枠部にパネル支持部の支持脚部の下端部を固定し、型枠部の内側にコンクリート部を形成することで、容易に太陽光パネルを支持できる特徴がある。それは、架台本体の型枠部が未硬化状態の生コンクリートを硬化させ、コンクリート部を形成するための型枠として機能することで、従来の太陽光パネルの基礎のように、地面を掘り下げてコンクリートを打設したり、基礎を構築するための型枠を作るといった必要がなく、太陽光発電装置の施工を簡単にしている。さらに、この構造は、建造を容易にすると同時に、パネル支持部により太陽光パネルと架台本体との間を離間させ、風が通過するための通風空間を形成しており、この通風空間を通過する風により太陽光パネルを冷却する構造としている。これにより、太陽光パネルが太陽光に照射されて過熱し、発電効率が低下したり、長期間の過熱により寿命が低下する虞を低減している。すなわち、以上の太陽光パネルの架台は、容易に太陽光パネルを施工できるようにしながらも、その上部に支持される太陽光パネルの温度上昇を防ぐことができる。
【００１９】
さらにまた、本発明の第７の太陽光発電装置の施工方法は、上面に受光面を設け、長方形状に形成された平板状の太陽光パネルと、前記太陽光パネルの下方に配置されて、前記太陽光パネルを所定の姿勢で支持する架台と、前記架台の上面に形成されるコンクリート部とを備え、前記架台は底板部と、前記底板部の上面に立設された型枠部を含む架台本体と、太陽光パネルを支持するパネル支持部を備える太陽光発電装置の施工方法であって、前記架台本体を施工領域に配置する敷設工程と、前記架台本体の上面であって、前記型枠部の内側に、起立姿勢の前記支持脚部を含む前記パネル支持部を取り付ける取付工程と、前記支持脚部が固定された前記型枠部の内側に未硬化状態のコンクリートを充填し、前記支持脚部の下端部が埋設されたコンクリート部を形成する基礎形成工程と、前記パネル支持部の上端部に太陽光パネルを固定するパネル固定工程とを含むことを特徴とする。
【００２０】
以上の太陽光発電装置の施工方法によれば、従来の施工方法のように、地面を掘り下げてコンクリートの基礎を打設したり、コンクリート部を形成するための型枠を設ける必要がなく、太陽光発電装置を施工するための工数を削減することができ、短時間でしかも安価に施工できる。また、支持脚部の上部に太陽光パネルを支持させることで、架台本体と太陽光パネルとの間に通風空間を生じさせ、太陽光パネルの裏側を風が吹き抜ける構造することができ、太陽光パネルの空気による冷却効率を向上することができる。
【図面の簡単な説明】
【００２１】
【図１】本発明の一実施形態に係る太陽光発電装置の斜視図である。
【図２】図１に示す太陽光発電装置の分解斜視図である。
【図３】図２に示す太陽光発電装置の分解斜視図であって、太陽光パネルの架台の分解斜視図である。
【図４】図１に示す太陽光発電装置の側面図である。
【図５】図１及び図４に示す太陽光発電装置のＶ−Ｖ線断面図である。
【図６】支持脚部の変形例に係る端面図である。
【図７】本発明の一実施形態に係る架台本体の連結方法を示す部分拡大斜視図である。
【図８】本発明の一実施形態に係る太陽光発電装置を行列状に配置した平面図である。
【図９】本発明の変形例に係る太陽光発電装置の分解斜視図である。
【図１０】図９に示す太陽光発電装置のＸ−Ｘ線における断面図である。
【発明を実施するための形態】
【００２２】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部品を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００２３】
図１〜図５に実施形態１に係る太陽光発電装置１を示す。図１は実施形態１に係る太陽光発電装置１の斜視図であり、図２は図１に示す斜視図の太陽光パネル５を分解した分解斜視図であり、図３は図２の斜視図のコンクリート部１６を除いて支持梁部２４を分解した分解斜視図であり、図４は図１に示す太陽光発電装置の側面図であり、図５は図１及び図４に示す太陽光発電装置１のＶ−Ｖ線における拡大断面図である。
【００２４】
図１は施工領域となる地面上や屋上等に直接配置できる架台３を用いた太陽光発電装置１の斜視図である。図に示す太陽光発電装置１は、太陽光発電装置１の基部である架台３と、架台３の上部に支持される太陽光パネル５と、架台３の上面内に配置されるコンクリート部１６とを備える。図の架台３は、地面上に配置される架台本体１０と、架台本体１０の上面側に固定され、その上部に太陽光パネル５を支持するパネル支持部２０を備えている。架台本体１０にはコンクリート部１６を形成するための型枠部１３が備えられている。
【００２５】
図１に示す架台３は、架台本体１０を太陽光発電装置１の施工領域である地面上や屋上に設置し、パネル支持部２０を架台本体１０に取り付け、型枠部１３にコンクリート部１６を形成することで、容易に太陽光パネル５を支持できる特徴がある。架台本体１０の型枠部１３が、未硬化状態のコンクリートを流し込みコンクリート部１６を形成するための型枠として機能するからである。これにより、太陽光発電装置１は、従来の太陽光パネルの施工方法のように、地面を掘り下げてコンクリートを打設して基礎を建造したり、手間のかかる型枠を形成するといった大規模な基礎工事を伴わずに施工できる。
【００２６】
また、図１と図４の架台３は、パネル支持部２０により太陽光パネル５の裏面と架台本体１０との間に、空気が通過するための通風空間４を形成している。架台３は、この通風空間４を風が通過できるようにすることで、空気による冷却効率を向上している。架台３は、太陽光パネルの冷却効率を向上させることで、太陽光パネルの過熱を防止し、太陽光パネルの温度上昇による発電効率の低下を低減している。また、この構造は、太陽光パネルの冷却効率を向上することで、長期間における太陽光パネルの過熱状態により、太陽光パネルの寿命が低下する虞を低減している。
【００２７】
すなわち、実施形態１の太陽光パネルの架台３は、大規模な基礎工事を必要とせず、太陽光発電装置１の施工を容易としながらも、架台本体１０と太陽光パネル５との間に通風空間４を形成し、この通風空間４を風が通過できるようにすることで、従来の架台に生じた、冷却効率の低下という新たな課題を解消している。以下に、この太陽光パネルの架台３の構成について詳述する。
（架台本体１０）
【００２８】
図２及び図３に示す架台本体１０は、地面上や屋上等の太陽光パネルの施工領域に配置される架台３の底部を構成する部材である。架台本体１０は、所定の厚さを有するプレート状又はシート状の樹脂材を成形して形成される。架台本体１０は、例えば樹脂板を真空成形、又はプレス成形して所定の立体形状に形成される。架台本体１０の材質は、耐候性に優れるポリエチレン樹脂、ポリプロピレン樹脂やフェノール樹脂等を好適に利用することができる。ただ、必ずしも架台本体は樹脂材である必要は無く、強度の高い金属材を利用することもできる。
【００２９】
架台本体１０は、平板状に形成された略矩形状の底板部１１と、この底板部１１の上面側に立設されて、その内側にコンクリート部１６が形成される上方開口の型枠部１３とを備えている。図に示す架台本体は１０は、底板部１１の外周に沿って立設された平面視略矩形状の周壁部１２を備えており、この周壁部１２に囲まれた領域の一部に、コンクリート部１６を配置する型枠部１３を備えている。
【００３０】
図５の架台本体１０は周壁部１２の下端部が上端部よりも広くなるように、テーパが設けられている。この構造は架台本体１０の一体成形を容易にするとともに、架台本体１０の上面に、他の架台本体１０を複数枚重ねられるようにしている。架台本体１０を重ねることで、流通時や運搬時等に、保管に必要なスペースを削減することができる。また、架台本体１０を軽量な樹脂材で形成することで、太陽光発電装置１を施工する作業員は、架台本体１０を複数枚重ねた状態で人力で持ち運びすることができ、作業効率を高めることができる。
（底板部１１）
【００３１】
底板部１１は平板状であり、架台本体１０を太陽光発電装置１の施工領域に配置した際に、その裏面が施工領域となる地面等の表面に面する部材である。底板部１１はその上部に設けられた周壁部１２により、内側底板部１１Ａと外側底板部１１Ｂとに隔てられている。詳しくは後述するが、外側底板部１１Ｂはその端部に、複数の太陽光発電装置１を、その長辺同士が接近するように並べて配置した際に、長辺が隣合う太陽光発電装置１の架台本体１０同士を連結するための架台連結部５５を備えている。
【００３２】
この底板部１１は、遮光性を有する部材であることが好ましい。遮光性を有する底板部１１により、太陽光発電装置１の周囲の地表面を覆うことで、地表面に照射される太陽光を遮り、太陽光発電装置１の周囲の地表面から植物が生えるのを阻止することができる。これにより、成長した植物により太陽光パネル５に照射される太陽光を遮られ、発電効率が低下する虞を効果的に低減することができる。
（周壁部１２）
【００３３】
周壁部１２は底板部１１の上面に立設された部材である。図３と図５の周壁部１２は底板部１１と一体に成型されている。周壁部１２は底板部１１の外周に沿うように略矩形上に設けられている。また、図の周壁部１２に囲まれた内側には、周壁部１２の長辺に平行な仕切り部１７を二箇所に設けている。この一対の仕切り部１７は、その両端が周壁部１２の短辺にそれぞれ連結されており、周壁部１２の内側の領域を複数の区画に分割している。図の架台本体１０は、周壁部１２と仕切り部１７により、型枠部１３を形成している。
（型枠部１３）
【００３４】
型枠部１３は、図２に示すように、その内部にコンクリート部１６が形成される部位である。図３のコンクリート部を取り除いた分解図に示すように、型枠部１３はその上面が開口しており、未硬化状態のコンクリートを内部に配置することができる。図の架台３は、型枠部１３にコンクリート部１６を形成し、パネル支持部２０の支持脚部２１の下端部をコンクリート部１６に埋設することで、パネル支持部２０が起立姿勢を保つ状態で自立するようにしている。
【００３５】
図３の周壁部１２は、仕切り部１７により、その内側の領域が複数の区画に分割されている。図３の架台本体１０は、図における左側の端部に位置する第一配置領域１４と、図における右側の端部に位置する第二配置領域１５を型枠部１３としている。第一配置領域１４と第二配置領域１５との間には、一対の仕切り部１７により形成された空隙部５０が設けられている。第一配置領域１４と第二配置領域１５は、空隙部５０により隔てられ、それぞれ架台本体１０の短手方向の両端側に、互いに対向するように位置している。図の架台３は、架台本体１０の短手側の両端にコンクリート部１６を配置することで、太陽光パネル５が強風に煽られた際に、架台本体１０の端部側から捲り上がらないように、コンクリート部１６により架台本体１０を確実に押さえている。
（空隙部５０）
【００３６】
図２や図３の架台本体１０は、周壁部１２の内側であって第一配置領域１４と第二配置領域１５の間に、一対の仕切り部１７の間に形成された空隙部５０を備える。図の架台本体１０はこの空隙部５０を設けることで、第一配置領域１４と第二配置領域１５をそれぞれ架台本体１０の短手方向の両端に配置させ、コンクリート部１６により効率的に架台本体１０を押さえる構造としている。また、空隙部５０の広さを調整することにより、第一配置領域１４及び第二配置領域１５の広さを調整することができる。図の架台本体１０は、空隙部５０を広くし、第一配置領域１４及び第二配置領域１５を狭くすることで、型枠部１３を満たすのに必要なコンクリート部１６の体積を少なくしている。これにより、空隙部５０を設けずに周壁部１２の内側の領域全体にコンクリート部を設ける場合と比べ、型枠部１３の内側に固定された支持脚部２１の下部にコンクリート部１６を集中させ、少量のコンクリート部１６でも確実に支持脚部２１を固定できるようにしている。
【００３７】
この空隙部５０に位置する内側底板部１１Ａには複数の水抜き穴５１が穿孔されている。この水抜き穴５１により、降雨時や太陽光パネル５の洗浄の際に、空隙部５０の内側に侵入した水を排出し、空隙部５０に水が溜まらないようにしている。
【００３８】
また、空隙部５０には一対の仕切り部１７同士を連結するように配置された中間リブ５２を設けている。図の中間リブ５２はその両端を一対の仕切り部１７にそれぞれ連結することで、架台本体１０の強度を向上している。
（コンクリート部１６）
【００３９】
コンクリート部１６は、パネル支持部２０の支持脚部２１を起立姿勢で支える基礎部材である。支持脚部２１はコンクリート部１６にその下端部を埋設することにより、安定的に起立姿勢に保たれている。また、コンクリート部１６は太陽光発電装置１が不意に移動しないようにするための、パネル支持部２０や架台本体１０の重しとしても機能している。
【００４０】
コンクリート部１６にはコンクリートやモルタル等のセメント系材料を好適に利用することができる。固化する前のセメント系材料を型枠部１３の内部に配置し、セメント系材料を固化させることで、容易に型枠部１３の形状に沿ったコンクリート部１６を容易に形成することができる。すなわち、型枠部１３はコンクリート部１６を形成するための型枠としても機能している。これにより、予め架台の形状や広さに対応したコンクリートブロックを別途準備し、コンクリートブロックを太陽光発電装置の施工現場まで運搬し、各架台に配置するといった手間を省略することができ、太陽光発電装置１の施工における作業工数を大幅に削減することができる。また、詳しくは後述するが、コンクリート部１６にセメント系材料を用いることで、簡単に支持脚部２１の下端部をコンクリート部１６の内部に埋め込むことができる。
【００４１】
図３に示すように、型枠部１３の内部には、図における型枠部１３の長手方向に沿って設けられた補強材３７が設けられている。コンクリート部１６は、この補強材３７により強度を向上している。補強材３７は強度の高い部材が好ましく、例えば鉄筋を好適に利用することができる。また、この補強材３７は、型枠部１３の両端部に配置される一対の支持脚部２１をそれぞれ架台本体１０に固定する長手ボルト３２に両端部が連結されており、対向して配置される一対の支持脚部２１をそれぞれの下端部で連結している。なお、図３に示す架台３は、第一配置領域１４と第二配置領域１５にそれぞれ１本ずつとしたが、各配置領域にそれぞれ複数本の補強材を設け、コンクリート部の強度をより向上させてもよい。
【００４２】
なお、本明細書においてコンクリート部は、必ずしもその材質をコンクリートのみに特定しない。例えばモルタルのような、セメント系硬化材料を利用することができる。コンクリート部は、支持脚部２１を起立させ、かつ十分な強度及び重量を備えるその他の部材を含んでいる。
（パネル支持部２０）
【００４３】
パネル支持部２０はその上部に太陽光パネル５を固定するための基部である。図２に示すパネル支持部２０は、架台本体１０に起立姿勢で固定される複数本の支持脚部２１と、この支持脚部２１の上部に連結された支持梁部２４とを備えている。図２の架台３は、このパネル支持部２０の支持梁部２４の上部に太陽光パネル５を固定して支持することで、図１に示すように、太陽光発電装置１を形成することができる。
【００４４】
図４は太陽光発電装置１の側面図である。図に示すように、架台３は各支持脚部２１の間が開放されている。この構造により、架台３はその上部に支持される太陽光パネル５との間に風が通過できる通風空間４が生じるようにしている。これにより、図の架台３は太陽光パネル５の裏面側を風が吹き抜けるようにし、空気による太陽光パネル５の冷却効率を向上している。また、図の太陽光発電装置１は、太陽光パネル５の長手方向に沿うように風が通過するようにしている。後述するが、図の太陽光発電装置１は、長辺同士が接近するように他の太陽光発電装置１と隣接して配置した際に、太陽光パネル５の長手方向に風が抜けるようにすることで、太陽光パネル５の裏面側を風が通りやすくしている。
（支持脚部２１）
【００４５】
図２及び図３に示す支持脚部２１は、架台本体１０の四隅部であって、周壁部１２の内側の四隅、すなわち架台本体１０に設けた型枠部１３の前後位置にそれぞれ固定されている。支持脚部２１は、図における前方側に設けられた前方側脚部２２と、後方側に設けられた後方側脚部２３とを含む。図に示す支持脚部２１は、前方側脚部２２の上端の高さが、後方側脚部２３の上端の高さよりも低くなるように設けられている。これにより、図１に示すように太陽光パネル５を設置した際に、太陽光パネル５が傾斜するようにしている。
【００４６】
支持脚部は太陽光パネルを支持するのに十分な強度を有する部材であれば、その材質は特に特定しない。ただ、強度を十分に有し、かつ耐候性の高い金属を好適に利用することができる。例えば、支持脚部は鉄製とすることができる。
【００４７】
図５は、図１及び図４のＶ−Ｖ線における断面図である。後方側脚部２３は、上下方向に設けられた脚部本体２３Ｂと、脚部本体２３Ｂの下端部をＬ字状に折曲した折曲部２３Ａを備える。図５に示すように、内側底板部１１Ａの表面側に向けて盛り上がるように設けられた段差部１９の下方に支持脚固定ボルト３０を配置し、このボルトを支持脚部２１の折曲部２３Ａに挿通して支持脚固定ナット３１を螺合し、支持脚部２１を架台本体１０に固定している。さらに、図の支持脚部２１は、周壁部１２及び仕切り部１７の間に挿通された長手ボルト３２が貫通している。長手ボルト３２は仕切り部１７側で長手ボルト用ナット３３が螺合されている。支持脚部２１はこの長手ボルト３２に螺合された一対の支持脚挟持ナット３５の間に挟持されている。これにより、図の支持脚部２１は、コンクリート部１６に埋設されるまでの間に図における左右方向に動かない用に仮止めされている。
【００４８】
なお図示しないが前方側脚部２２も以上の後方側脚部２３と同様に、その下端部がＬ字状に折曲されており、以上と同様の方法により架台本体に固定されている。
【００４９】
支持脚部２１は、図２、図３及び図５に示すように、その下端部を架台本体１０に固定するとともに、型枠部１３に配置されたコンクリート部１６に、下端部を埋設している。すなわち、図３に示すように型枠部１３内の底面部１１であって、型枠部１３にコンクリート部１６を充填した際に、コンクリート部に埋設される位置に、その底部を固定している。これにより、支持脚部２１は確実に架台本体１０に固定され、さらに、支持脚部２１のコンクリート部１６に埋設された部分の強度を高めている。
【００５０】
図の支持脚部２１は架台本体１０に対して垂直な起立姿勢としているが、この支持脚部２１の角度は必ずしも架台本体１０に対して垂直である必要はない。支持脚部を架台本体の外側に向けて傾斜させることで、より大きな太陽光パネルをその上部に支持することができる。ただ、支持脚部は架台本体に対して垂直に設けられることが好ましい。支持脚部を架台本体に対して垂直に設けることで、長期間太陽光パネルをパネル支持部の上部に支持した場合、太陽光パネルの加重による支持脚部の変形を防止できるからある。
【００５１】
また、以上の支持脚部２１は周壁部１２の内側の四隅にそれぞれ１本ずつ配置し、太陽光パネル５の一対の長辺をそれぞれ２本の支持脚部２１で支持する構造としたが、この支持脚部の本数はこれに特定されない。パネル支持部は例えば、周壁部内の前方側支持脚部と後方側支持脚部の中間部に、さらに追加の支持脚部を設け、一方の長辺に付き３本以上の支持脚部で太陽光パネルを支持する構造とすることもできる。支持脚部の本数を増やすことにより、パネル支持部の強度を向上することができる。
（変形例１）
【００５２】
ただ、以上の支持脚部２１は、図５に示すような固定方法としたが、支持脚部２１の固定方法は以上の方法に特定されない。以下に、以上とは異なる固定方法により支持脚部２１を架台に固定した変形例１の説明をする。
【００５３】
図６は変形例１の架台の断面図である。図に示す架台本体は、周壁部１２の内側の壁面下部から架台本体の内側に向けて、底板部が僅かに盛り上がった段差部１９ａが設けられている。図の支持脚部２１は、折曲部２３Ａがこの段差部の上面側に配置され、支持脚固定ボルト３０により固定されている。図の支持脚２１は、脚本体部２３Ｂと折曲部２３Ａの接合部である角部が、架台本体１０の周壁部１２と段差部が形成する隅部に位置し、脚本体部２３Ｂの側面が周壁部１２に接近している。図の支持脚部２１は、周壁部１２に側面固定ボルト３８により固定されている。以上のように架台本体に支持脚部２１を固定した状態で、図示しないが、実施形態１と同様にコンクリート部に埋設されることで、支持脚部２１は起立姿勢に維持される。この構造は段差部と折曲部２３Ａ、周壁部１２と脚部本体２３Ｂとをそれぞれボルトで連結するだけでよく、簡単に支持脚部２１を架台本体に固定することができる。
（支持梁部２４）
【００５４】
パネル支持部２０は、図２に示すように、前方側脚部２２の上端と後方側脚部２３の上端の間に連結される支持梁部２４を設けている。図の支持梁部２４は断面形状がＬ字状の部材である。太陽光パネル５はこの支持梁部２４の上面部２４Ｂに固定されている。図の支持梁部２４は側面部２４Ａが前方側脚部２２及び後方側脚部２３の上端部に、梁部固定ボルト４０及び梁部固定ナット４１により連結されている。支持梁部２４の上面部２４Ｂは、前方側脚部２２と後方側脚部２３の高低差に沿って傾斜している。支持脚部２１の上面部２４Ｂには、太陽光パネル５をパネル固定ボルト４２を挿通して固定するための穴が穿孔されている。この支持部側の穴と、太陽光パネル５の裏面側に設けられたパネルフランジ部４５の穴にパネル固定ボルト４２を挿通してパネル固定ナット４３を螺合し、支持梁部２４の上面部２４Ｂに太陽光パネル５を固定できるようにしている。
【００５５】
支持梁部は、上面部に太陽光パネルを固定するのに十分な強度を有していれば、その材質は特定しない。支持梁部は好適には金属材を利用することができる。例えば支持梁部に軽量なアルミニウム材を利用することで、支持脚部に加わる荷重を小さくすることができる。
【００５６】
以上の構造により、図１の太陽光パネルの架台３は、その上部に太陽光パネル５を設置し、太陽光発電装置１を形成している。以上の太陽光パネルの架台３は、大規模な基礎工事等を必要とせずに太陽光発電装置１の施工領域に配置することができるようにしながらも、パネル支持部２０により太陽光パネル５を支持することで、太陽光パネル５と架台本体１０との間に通風空間４を生じさせて、この通風空間４を風が通過できるようにし、太陽光パネルの空気による冷却効率を向上させている。
（架台連結部５５）
【００５７】
以上の太陽光パネルの架台３は、複数台の架台本体１０をその長辺が隣合うように接近させて並べて配置した際に、隣接する架台本体１０同士を連結するための架台連結部を、架台本体１０の外側底板部１１Ｂの長辺側の端縁部に設けている。図７は架台連結部による連結方法を示す要部拡大斜視図である。
【００５８】
架台連結部は、図１には図示されないが外側底板部１１Ｂの、図における左側の端縁に設けられた第一架台連結部５６と、図における右側の端縁に設けられた第二架台連結部５７とを備えている。図７に示すように、長辺同士が隣接するように隣合う架台本体１０の第一架台連結部５６と第二架台連結部５７を連結することで、隣合う架台本体１０同士を連結することができる。
【００５９】
第一架台連結部５６は図７に示すように、外側底板部１１Ｂから外側に突出するように設けられており、この突出部に連結用のボルトを挿通するための第一連結孔部５８が穿孔されている。また、第二架台連結部５７は、この第一架台連結部５６を挿入できる形状に外側底板部１１Ｂに設けられている。また、第二架台連結部５７には架台連結ボルト６０を挿通するための第二連結孔部５９が穿孔されている。図７に示すように、第一架台連結部５６を第二架台連結部５７に挿入した状態で、連結用のボルトを第一連結孔部５８及び第二連結孔部５９に挿通して、架台連結ボルト６０に架台連結ナット６１を螺合することで、隣接した架台本体１０同士を連結することができる。
【００６０】
隣接する架台本体同士を連結する方法は以上に特定されない。架台本体の連結が不意に外れない構造であれば、その他の方法でもよい。その他の既知の接続方法を利用したり、あるいは接着材による接着や、外側底板部が樹脂製や金属製の場合は溶着することもできる。
【００６１】
また、以上のように外側底板部１１Ｂを連結する構造は、架台本体の長辺側だけでなく、短辺側にも設けることができる。架台本体の短辺側に架台連結部を設ける場合、周壁部から外側底板部の端縁までの距離が長くなるように外側底板部を設けることで、架台本体の短辺同士を隣接する架台本体と連結できるようにしつつも、隣接する太陽光パネルの短辺同士の間に広い間隔が生じるようにすることができる。
【００６２】
ただ、必ずしも架台本体同士を連結する構造は必須ではない。各架台本体に配置されるコンクリート部１６の重量が十分であったり、各太陽光パネル５同士を離間した位置に配置する場合は、この架台連結部を省略してもよい。あるいは、外側底板部以外の部位により、隣接する架台を連結することもできる。例えば、並べて配置された太陽光パネル５の架台の隣接する後方側脚部２３同士、あるいは前方側脚部２２同士に、水平姿勢の一本の金属材を溶接することで、支持脚部２１により隣接する架台を連結することができる。
【００６３】
以上の太陽光パネルの架台３は、図１に示すように、太陽光パネル５の長手方向の両端に高低差が生じるように傾斜した姿勢で、パネル支持部２０の上部に太陽光パネル５を支持している。図８の複数の太陽光パネル５を行列状に並べた状態を示す平面図である。図のように、隣接する太陽光パネル５の短辺同士の第一間隔８が広くなるように、長辺同士の第二間隔９が狭くなるようにし、短辺同士の間に作業員の通過用のスペースを確保しながらも、施工領域における太陽光パネル５の設置数を増加させることができる。太陽光パネル５の長手方向の両端に高低差を生じさせ、かつ長辺同士の間隔を狭くすることで、太陽光パネル５が形成するパネル行状体２の幅を広くし、パネル行状体２の数を少なくし、非発電領域であるパネル行状体２の間の領域、すなわち太陽光パネル５の短辺同士の間の領域の総数を減らすことができるからである。
【００６４】
ただ、必ずしも太陽光パネルの長手方向の両端に高低差を生じるように傾斜した姿勢にする必要はない。架台本体の短手方向の一端に前方側脚部２２を配置し、対向する他端に後方側脚部２３を配置することで、太陽光パネルの短手方向の両端に高低差が生じるように太陽光パネルを設置することもできる。
【００６５】
以上、実施形態１の太陽光パネルの架台３の説明をした。ただ、本発明の太陽光パネルの架台は以上の形態に特定されない。以下に、構造の異なる実施形態２の太陽光パネルの架台の説明をする。
（実施形態２）
【００６６】
図９に実施形態２の架台３ａを示す。実施形態１の架台３を構成する架台本体１０は、一対の仕切り部１７が架台３の長辺に対して平行に設けられていた。また、第一配置領域１４の内部に前方側脚部２２ａと後方側脚部２３ａが固定され、第二配置領域１５の内部にも同様に、前方側脚部２２ａと後方側脚部２３ａが固定されている。図９に示す実施形態２の架台３ａは以上の実施形態１の架台３とは異なる型枠部１３ａを備えている。
【００６７】
さらに、図９の架台３ａは、太陽光パネル５を支持するパネル支持部２０ａもまた、実施形態１の架台３と異なる形状をしている。以下に詳細な説明をする。
（架台３ａ）
【００６８】
図９に示す実施形態２の架台３ａは、仕切り部１７ａが架台３ａの短辺に対して平行に設けられている。これにより、図の架台本体１０ａは、長手方向の両端にそれぞれ型枠部１３ａが備えられている。型枠部１３ａは、図における前方側に設けられた第一配置領域１４ａと、この第一配置領域１４ａに対向するように後方側に設けられた第二配置領域１５ａを含む。
【００６９】
図９の架台３ａは第一配置領域１４ａの内側に、架台３ａの両側に設けられた一対の前方側脚部２２ａが固定されている。また、第二配置領域１５ａの内側には、同様に一対の後方側脚部２３ａが固定されている。前方側脚部２２ａと後方側脚部２３ａはそれぞれ、型枠部１３ａに配置されたコンクリート部１６に、その下端部が埋設されている。
【００７０】
この構造は、前方側脚部２２ａと後方側脚部２３ａの上部を支持梁部２４により連結する構造に加えて、前方側脚部２２ａ同士、又は後方側脚部２３ａ同士が連結材及びコンクリート部１６により下端部で連結されている。これにより、何れかの支持脚部２１に負荷が加わった際に、支持梁部２４や連結材を介して他の支持脚部２１に負荷を分散することができ、上部に設置された太陽光パネル５に負荷が加わりにくい構造としている。
（パネル支持部２０ａ）
【００７１】
また、図に示す架台３ａは、実施形態１のパネル支持部２０の支持脚部２１が、平板状の金属部材の下端部を折曲した形状であったのに対し、支持脚部２１ａが断面形状がＬ字状のアングルを垂直に起立させている。支持脚部２１ａは、Ｌ字状とすることにより強度を高めることができる。支持脚部２１ａは壁部１２に隣接する側面部２１ａＡと、この側面部２１ａＡに垂直な正面部２１ａＢを備える。
【００７２】
図１０は図９のＸ−Ｘ線における断面図である。図に示す支持脚部２１ａは、その側面部２１Ａが支持脚固定ボルト３０ａにより架台３ａの周壁部１２に固定されている。図に示すボルトと支持脚部２１ａの間には、スペーサー５４が設けられている。このスペーサー５４により、テーパが設けられ傾斜した周壁部１２に支持脚部２１ａを取り付けても、支持脚部２１ａが底板部１１に対して垂直な姿勢になるようにしている。また、図９や図１０に示すように、支持脚部２１ａはこの支持脚固定ボルト３０ａに直交する方向に設けられ、支持脚部の正面部２１ａＢに挿通する長手ボルト３２ａにより、周壁部と仕切り部に固定されている。このように、互いに直交する方向に支持脚固定ボルト３０ａ及び長手ボルト３２ａにより固定することで、支持脚部２１ａをコンクリート部の内部に埋設するまでの間に、位置がずれないように確実に仮止めすることができる。
【００７３】
さらに、図９に示す架台３ａのパネル支持部２０ａは、支持梁部２４ａの上面部２４ａＢが実施形態１の支持梁部２４とは異なる方向に向かっている。実施形態１の支持梁部２４は上面部が架台３の外側へ向かうように設けられているのに対し、図に示す実施形態２の支持梁部２４ａの上面部は架台３ａの内側へ向かうように側面部２４ａＡが支持脚部２１の上端に連結されている。この構造は、支持梁部２４ａの上面部２４ａＢの両端部の底面が、支持脚部２１ａの端部に支えられる構造となる。これにより、支持梁部２４ａはその強度を向上することができる。
【００７４】
以上、実施形態１とは構造の異なる実施形態２の架台３ａの説明をした。なお、必ずしも変形例の架台は以上の構成のみに限られない。実施形態２の架台３ａの要素を一部のみ実施形態１の架台３に適応することができるのは言うまでもない。例えば、実施形態１の架台の型枠部を実施形態２と同様にしたもの、あるいはパネル支持部を実施形態２と同様にしたものとすることができる。
【産業上の利用可能性】
【００７５】
本発明の太陽光パネルの架台によれば、太陽光パネルを支持するための基部を大規模な工事を必要とせずに設置できるようにしながらも、太陽光パネルを支持する架台の一部である架台本体と太陽光パネルとの間に通風空間を生じさせることで、この通風空間に風が吹き抜けるようにし、太陽光パネルの空気による冷却効率を向上させている。
【符号の説明】
【００７６】
１…太陽光発電装置
２…パネル行状体
３…架台                                      ３ａ…架台
４…通風空間
５…太陽光パネル
８…第一間隔
９…第二間隔
１０…架台本体                                １０ａ…架台本体
１１…底板部                                  １１Ａ…内側底板部
１１Ｂ…外側底板部
１２…周壁部
１３…型枠部                                  １３ａ…型枠部
１４…第一配置領域                            １４ａ…第一配置領域
１５…第二配置領域                            １５ａ…第二配置領域
１６…コンクリート部
１７…仕切り部                                １７ａ…仕切り部
１９…段差部                                  １９ａ…段差部
２０…パネル支持部                            ２０ａ…パネル支持部
２１…支持脚部
２１ａ…支持脚部                              ２１ａＡ…側面部
２１ａＢ…正面部
２２…前方側脚部                              ２２ａ…前方側脚部
２３…後方側脚部                              ２３Ａ…折曲部
２３Ｂ…脚本体部
２３ａ…後方側脚部
２４…支持梁部                                ２４Ａ…側面部
２４Ｂ…上面部
２４ａ…支持梁部                              ２４ａＡ…側面部
２４ａＢ…上面部
３０…支持脚固定ボルト                        ３０ａ…支持脚固定ボルト
３１…支持脚固定ナット
３２…長手ボルト                              ３２ａ…長手ボルト
３３…長手ボルト用ナット
３５…支持脚挟持ナット
３７…補強材
３８…側面固定ボルト
４０…梁部固定ボルト
４１…梁部固定ナット
４２…パネル固定ボルト
４３…パネル固定ナット
４５…パネルフランジ部
５０…空隙部
５１…水抜き穴
５２…中間リブ
５４…スペーサー
５５…架台連結部
５６…第一架台連結部
５７…第二架台連結部
５８…第一連結孔部
５９…第二連結孔部
６０…架台連結ボルト
６１…架台連結ナット
【図１】
2017229109.tif 000003
【図２】
2017229109.tif 000004
【図３】
2017229109.tif 000005
【図４】
2017229109.tif 000006
【図５】
2017229109.tif 000007
【図６】
2017229109.tif 000008
【図７】
2017229109.tif 000009
【図８】
2017229109.tif 000010
【図９】
2017229109.tif 000011
【図１０】
2017229109.tif 000012